(57)【要約】【課題】針位置検出機構の組付けに際して位置合せが容易に行われ易い電子時計を提供すること。【解決手段】電子時計１は、時刻表示用の指針２０、５０の回転位置を検出するための針位置検出機構を備え、針位置検出機構のうち文字板４に対して位置決めされるべき実質的に全ての部分が文字板４の表面８側に配置されている。針位置検出機構は、外装ケース２の凹部のうち文字板４の表面側の周面の特定箇所と、指針が先端部に一体的に取りつけられた軸部２１、５１のうち文字板４の表面８側に位置する部分の周面特定箇所とに、該二つの箇所が相互に対面位置にあることを検出する一組の対面検出手段３２、３４、６０、６２を備える。【選択図】　　図１
2004077177.tif 000002
【特許請求の範囲】
【請求項１】
時刻表示用の指針の回転位置を検出するための針位置検出機構を備えた電子時計であって、前記針位置検出機構のうち文字板に対して位置決めされるべき部分が前記文字板の表面側に配置されている電子時計。
【請求項２】
前記針位置検出機構は、外装ケースの凹部のうち前記文字板の表面側の周面の特定箇所と、指針が先端部に一体的に取りつけられた軸部のうち前記文字板の表面側に位置する部分の周面の特定箇所とに、該二つの箇所が相互に対面位置にあることを検出する一組の対面検出手段を備える請求項１に記載の電子時計。
【請求項３】
前記一組の対面検出手段が、送受信手段と反射手段とからなり、前記送受信手段が信号送信部及び信号受信部を含み、前記反射手段は、前記反射手段が前記送受信手段に対面した際、前記送受信手段の前記信号送信部からの信号を前記信号受信部に向かって反射するように構成されている請求項２に記載の電子時計。
【請求項４】
前記一組の対面検出手段が、送信手段と受信手段とからなり、前記受信手段は、前記受信手段が前記送信手段に対面した際、前記送信手段からの信号を受信するように構成されている請求項２に記載の電子時計。
【請求項５】
前記針位置検出機構が複数の指針の位置を検出するように構成されている請求項１から４までのいずれか一つの項に記載の電子時計。
【発明の詳細な説明】
【０００１】
【発明の属する技術分野】
本発明は電子時計に係わり、より詳しくは、針位置検出機構を備えた電子時計に係わる。
【０００２】
【従来の技術】
時刻情報を含む標準電波を受信して該標準電波の時刻情報に応じて指針の表示時刻を修正する電波修正時計は知られている。この電波修正時計では、時刻情報に応じて指針位置を修正するに際して、例えば、指針を一旦初期位置に戻し、該初期位置から修正位置まで指針を移動させる。指針を初期位置に正確に戻すためには、指針が初期位置にあることを正確に検出する必要がある。従って、電波修正時計は、従来から針位置検出機構を備える。
【０００３】
標準電波による時刻修正時に指針を初期位置に戻すタイプの従来の針位置検出機構は、典型的には、特開平１０−３００８６９号公報に開示されているように、指針の回転に連動して回転する回転体を文字板の背面側に備えると共に、文字板の背面側において、この回転体の軸線に平行な方向に相互に対面する一組の回転位置検出手段とを備える。
【０００４】
【発明が解決しようとする課題】
しかしながら、この種の従来の針位置検出機構を備えた電子時計では、文字板の表面側に指針があるのに対して文字板の背面側に回転体やその回転位置検出手段を設ける必要があるので、取付の際、指針との位置合わせが容易でない。従って、初期位置に達したことが回転位置検出手段により検出乃至確定されると、その時点における実際の指針位置が目視により位置ズレとして決定され、該位置ズレがズレデータとして不揮発性メモリに格納され、該ズレデータをオフセット値として利用して、指針による表示時刻の修正（再設定）が行われる必要がある。
【０００５】
また、この種の従来の針位置検出機構を備えた電子時計では、指針と回転体を軸線方向に重なる位置に設けるので、電子時計が厚くなり易く、ウオッチタイプの電子時計では、薄型化が制限され易い。
【０００６】
本発明は、前記した点に鑑みなされたものであって、その目的とするところは、針位置検出機構の組付けに際して位置合せが容易に行われ易い電子時計を提供することにある。
【０００７】
【課題を解決するための手段】
本発明の電子時計は、前記目的を達成すべく、時刻表示用の指針の回転位置を検出するための針位置検出機構を備えた電子時計であって、針位置検出機構のうち文字板に対して位置決めされるべき部分が文字板の表面側に配置されている。なお、文字板に対して位置決めされるべき部分は、実質的に全ての部分が文字板の表面側に配置されているのが好ましい。
【０００８】
本発明の電子時計では、「針位置検出機構のうち文字板に対して位置決めされるべき実質的に全ての部分が文字板の表面側に配置されている」ので、文字板に対する相対位置を目視しながら針位置検出機構の関連部分の位置決めが行われ得るから、針位置検出機構の組付けに際して位置合せが容易に行われ易い。
【０００９】
従って、特開平１０−３００８６９号公報に記載のような指針位置のズレを補正するためのオフセットデータを不揮発性メモリに格納しておかなくてもよい。但し、厳密さを求める場合、指針位置のズレを補正するためのオフセットデータを不揮発性メモリに格納し得るようにしておいてもよい。なお、電子時計がバックアップ用のバッテリを備えているような場合には、電子時計のモータ駆動用のバッテリを交換する際にも、電子時計の内部のクロックデータないし計時データバックアップバッテリにより保たれ得るので、電子時計の内部のクロックデータないし計時データを修正するようにしておいてもよい。
【００１０】
針位置検出機構のうち文字板に対して位置決めされるべき実質的に全ての部分は、典型的には、一組の対面検出手段からなるけれども、場合によっては、関連部分が対面する代わりに特定の角度関係など特定の位置関係を有する状態であってもよい。
【００１１】
即ち、本発明の電子時計において、針位置検出機構は、典型的には、外装ケースの凹部のうち文字板の表面側の周面の特定箇所と、指針が先端部に一体的に取りつけられた軸部のうち文字板の表面側に位置する部分の周面の特定箇所とに、該二つの箇所が相互に対面位置にあることを検出する一組の対面検出手段を備える。
【００１２】
従って、本発明の電子時計では、針位置検出機構の関連部分が時計の厚さ方向ではなくて半径方向に拡がるので、電子時計が厚くなる虞れが少ない。但し、場合によっては、文字板及び前面側の外装ガラスのうちの少なくとも一方の針位置検出手段を設けて指針の位置を検出するようにしてもよい。
【００１３】
更に、本発明の電子時計において、
（１）一組の対面検出手段が、送受信手段と反射手段とからなり、送受信手段が信号送信部及び信号受信部を含み、反射手段は、該反射手段が送受信手段に対面した際、送受信手段の信号送信部からの信号を信号受信部に向かって反射するように構成されていても、
（２）一組の対面検出手段が、送信手段と受信手段とからなり、受信手段は、該受信手段が送信手段に対面した際、送信手段からの信号を受信するように構成されていてもよい。
ここで、送受信される信号は、典型的には、光信号からなる。但し、所望ならば、他の種類の信号（例えば超音波信号など）でもよい。
【００１４】
針位置検出機構は、指針が特定の位置（初期位置）に達したことを検出するようになっていても、実質的に任意の時点で、当該時点における針位置を実質的に常時検出可能になっていてもよい。標準電波を利用した時刻修正に際して、前者の場合には、一端初期位置に戻した後、修正すべき所定時刻位置に指針を所定角度だけ回転させることになり、後者の場合には、当該時点において標準電波から得られる時刻データと当該時点における実際の指針位置（時刻データ）との差異を、なくすべく、差異に応じた角度だけ各指針を回転させることになる。
【００１５】
本発明の電子時計において、典型的には、針位置検出機構が複数の指針の位置を検出するように構成されている。すなわち、例えば、時針の位置を検出する時針位置検出機構及び分針の位置を検出する分針位置検出機構が設けられたり、時針の位置を検出する時針位置検出機構及び分針の位置を検出する分針位置検出機構に加えて、秒針の位置を検出する秒針位置検出機構が設けられが設けられる。
【００１６】
【発明の実施の形態】
本発明の好ましい実施の形態のいくつかを添付図面に示した好ましい実施例に基づいて説明する。
【００１７】
【実施例】
図１から図３に示したとおり、本発明による好ましい一実施例の針位置検出機構付の電子時計１は、ケース２内において地板３によって支持された文字板４の表側の室５に分針２０及び時針５０を有する。以下では、説明の簡明化のために、時計１に固定された円筒座標Ｒ、θ、Ｚを採る。但し、円筒座標のＺ軸が中心軸線Ｃに一致し且つ時計の前方を向いているとし、座標の原点が文字板４の表側の表面８に一致するとする。また、角度θは、１２時の向きで０とし、且つ時計回りの向きを角度θのプラス方向とする。
【００１８】
分針２０は、図２からわかるとおり、中心軸線Ｃのまわりで回転可能な軸部としての分車２１の先端部２２に取付けられている。分車２１は、地板３で支持された中心パイプ６に摺動回転可能に嵌挿され、且つ基端部２３において輪列受７により回転自在に支持されている。分車２１には、また、分歯車２４及び分かな２５が取付けられている。
【００１９】
例えば、エンジニアリングプラスチックからなる分車２１には、例えば、ＭＩＤ（Ｍｏｌｄｅｄ　Ｉｎｔｅｒｃｏｎｎｅｃｔ　Ｄｅｖｉｃｅ；三次元射出回路部品）技術により、配線２６がインサート成形などによって一体的に形成されている。配線２６等が分車２１に一体的に三次元形態で組込まれ得る限り、三次元配線等の形成には、プラスチックの多色成形技術ないし射出成形技術等が用いられてもフォトリソグラフィの如き集積回路形成技術等や乾式又は湿式のメッキ技術ないしプレーティング技術などが用いられてもよい。この配線２６は、所望の給電線及び信号線を含み、分車２１の基端部２３の大径部２７の端面２８において、配線パターン２９、３０等として露出し、分車２１の先端部２２の近傍のうち分針２０が延びる向きに対面する周面の特定箇所としての側面３１において、ＬＥＤの如き発光素子のような光源３２用の給電端子部３３及びフォトトランジスタやフォトダイオードやＣＣＤの如き受光素子のような光検出部３４からの信号の入力端子部３５として露出している。図２では、端子部３３、３５がＺ方向に繋がっているかの如く示されているけれども、これは図示の便宜ためであって、送信手段としての発光素子３２及び受信手段としての受光素子３４の夫々に適合するような端子部３３、３５が側面３１に形成されている。なお、配線パターン２９、３０の接点ないしパッド部には、発光素子３２や受光素子３４を駆動するための給電ラインをなす導通ばね３６及び受光素子３４での受光信号の取出ラインをなす導電ばね３７等が夫々の接点で接触せしめられている。
【００２０】
時針５０は、図２からわかるとおり、中心軸線Ｃのまわりで回転可能な軸部としての時車ないし筒車５１の先端部５２に取付けられている。時車５１は、中心パイプ６に摺動回転可能に嵌装され、時車５１の基端部５３には、時歯車５４が一体的に形成されている。
【００２１】
エンジニアリングプラスチックからなる時車５１にも、例えば、ＭＩＤ技術により、配線５５がインサート成形などにより一体的に形成されている。この配線５５も、所望の給電線及び信号線を含み、時車５１の基端部５３の大径の時歯車５４の側面ないし端面５６において配線パターン５７、５８等として露出し、時車５１の先端部５２の近傍のうち時針５０が延びる向きに対面する周面の特定箇所としての側面５９において、ＬＥＤの如き発光素子のような光源６０用の給電端子部６１及びフォトトランジスタやフォトダイオードやＣＣＤの如き受光素子のような検出部６２からの信号の入力端子部６３として露出している。図２において端子部６１、６３が繋がっているかの如く見えるは図示の便宜ためであり、送信手段としての発光素子６０及び受信手段としての受光素子６２の夫々に適合するような端子部６１、６３が側面５９に形成されている。配線パターン５７、５８の接点ないしパッド部にも、発光素子６０や受光素子６２を駆動するための給電ラインをなす導通ばね６４及び受光素子６２での受光信号の取出ラインをなす導電ばね６５等が夫々の接点で接触せしめられている。
【００２２】
図１及び図２からわかるように、時計１の文字板４の前面側の室５内において、分針２０は時針５０よりも＋Ｚ方向にずれている。従って、室５は、図２に示したように、文字板４の表面８から時車５１の先端部５２及び時針５０の前面またはそれよりも少しだけ前方に位置するプラスＺ１の面までの領域Ｈと、領域Ｈよりも前方で外装ガラス９の背面までの領域Ｍとからなるとみなし得る。図１及び図２に示した例では、プラスＺ１の位置に、ハーフミラーとして働く半透明板１１が設けられ、外周縁でケース２に固定されている。
【００２３】
但し、領域Ｍにおいて分車２１に取付けられたＬＥＤの如き発光素子３２が発し受光素子３４で敏感に検出する光の波長域と領域Ｈにおいて時車５１に取付けられた発光素子６０が発し受光素子６２で敏感に検出する光の波長域とがずれているような場合、例えば、分領域Ｍで赤色又は青色の波長域の光が発光・検出に用いられ、時領域Ｈで青色又は赤色の波長域の光が発光・検出に用いられるような場合には、境界のハーフミラー１１はなくてもよい。なお、発光素子３２、６０や受光素子３４、６２の前面に、所望ならば、カラーフィルタを設けてもよい。更に、ケース２の前面の外装ガラス９に針位置検出に用いる赤色や青色の光に対する反射用コーティング層を形成しておいて、外光の影響すなわち外光によるノイズを最小限に抑えるようにしてもよい。
【００２４】
ケース２の内周面１２は、時領域Ｈ及び分領域Ｍの夫々において、時針検出用反射面６６及び分針検出用反射面３８になっている。各反射面３８、６６は、典型的には、中心軸線Ｃに垂直な面に対して直角である。但し、例えば、図２に示したように、発光手段３２、６０と夫々に対応する受光手段３４、６２とがＺ方向にずれた位置にある場合には、Ｚ方向に沿った断面内でみて僅かに傾斜していてもよい。その場合、傾斜の向きは、例えば、反射面３８、６６で反射された外光が受信手段に直接的に入るのを妨げるように、文字板４の表面８に向かう向きに傾斜される。なお、文字板４の表面８やハーフミラー１１の表側表面での反射を最小限に抑え得るように、該表面には所望波長域の光に対する反射防止膜が形成されていてもよい。
【００２５】
時針検出用反射面６６は、図１の（ａ）に示したように、中心軸線Ｃ又はＺ軸に垂直な平面内で見て、相互に３０度づつ傾斜した１２個の平面Ｓｈ１、Ｓｈ２、・・・、Ｓｈ１２からなり、例えば、正Ｘ時（丁度Ｘ時）において時針５０が丁度平面ＳｈＸに対して直角に向く。また、文字板４の表面８には、各反射面Ｓｈｉとこれに隣接する反射面Ｓｈｉ−１、Ｓｈｉ＋１との間に、時針用遮光フィン６７が設けられている。なお、図１の（ａ）において、１４は、正時を示すべく文字板４の表面８に形成された植え字である。
【００２６】
従って、例えば、図１の（ａ）に示したように、ほぼ１０時９分頃である場合、時領域Ｈの発光素子６０から出た光は反射面Ｓｈ１０で反射されて、その正対の程度に応じて受光素子６２で受光される。なお、好ましくは、発光素子６０の前面に、発光素子６０から出た光を反射面Ｓｈｉの所で集光するようなレンズ部ないしレンズ層が形成される。一方、他の反射面Ｓｈ１〜Ｓｈ９及びＳｈ１１〜Ｓｈ１２に迷光が入って反射されても該反射光のうち受光素子６２に向かう向きの光が遮光フィン６７により遮光され易いので、迷光の影響を受ける虞れが少ない。但し、迷光の影響が無視し得るような場合には、遮光フィン６７はなくてもよい。また、例えば、受光素子６２の視野を小さくするように光の入射方向を制限する絞り手段（例えばピンホールを有する板）を受光素子６２の前面に設けておいてもよい。
【００２７】
領域Ｍにある分針検出用反射面３８は、図１の（ａ）及び（ｂ）では円筒状であるかのごとく示されているけれども、時針検出用反射面６６と同様に、相互に一定角度（分領域の場合は、３６０度／６０＝６度）づつ傾斜した６０個の平面Ｓｍ１、・・・Ｓｍ６０（図示せず）からなり、図１の（ａ）の平面で見た場合、例えば、丁度Ｙ分において分針２０が丁度平面ＳｍＹに対して直角に向く。また、半透明板１１の表面１２には、図１の（ｂ）に示したように、各反射面Ｓｍｊ（図示せず、但し、ｊは１〜６０の間の整数）とこれに隣接する反射面Ｓｍｊ−１、Ｓｈｍｊ＋１（図示せず）との間に、分針用遮光フィン３９が設けられている。なお、図１の（ａ）からわかるとおり、この例では、時針用遮光フィン６７は５つおきに分針用遮光フィン３９に重なる。
【００２８】
従って、例えば、図１の（ａ）及び（ｂ）に示したように、ほぼ１０時９分頃である場合、分領域Ｍの発光素子３２から出た光は反射面Ｓｍ９（図示せず）で反射されて、その正対の程度すなわち真正面から対面する程度に応じて受光素子３４で受光される。時針検出用の発光素子６０と同様に、発光素子３２の前面に、発光素子３２から出た光を反射面Ｓｍｊの所で集光するようなレンズ部ないしレンズ層が形成される。一方、他の反射面Ｓｍ１〜Ｓｍ８（図示せず）及びＳｍ１０〜Ｓｍ６０（図示せず）に迷光が入って反射されても該反射光のうち受光素子３４に向かう向きの光が遮光フィン３９により遮光され得るので、迷光の影響を受ける虞れが少ない。但し、迷光の影響を無視し得る場合には遮光フィン３９はなくてもよい。また、例えば、受光素子３４の視野を狭くするように光の入射方向を制限する絞り手段を受光素子３４の前面に設けておいてもよい。
【００２９】
分針検出用発光素子３２と分針検出用反射面３８と分針検出用受光素子３４と分針検出用ＭＩＤ配線２６と分針検出用導通ばね３７とからなる分針検出系１５及び時針検出用発光素子６０と時針検出用反射面６６と時針検出用受光素子６２と時針検出用ＭＩＤ配線５５と時針検出用導通ばね６５とからなる時針検出系１６は、夫々、分針２０及び時針５０の位置を検出し得るように構成されており、分針検出系１５及び時針検出系１６によって検出された分針２０及び時針の位置は、導通ばね３７及び６５等を介して、図３の分針位置データ格納部８１及び時針位置データ格納部８２に格納される。この例では、分針検出系１５の対面検出手段は、分針検出用発光素子３２と分針検出用反射面３８と分針検出用受光素子３４とからなり、時針検出系１６の対面検出手段は、時針検出用発光素子６０と時針検出用反射面６６と時針検出用受光素子６２とからなる。ここで、夫々の対面検出手段が針位置検出機構とみなされ得る。
【００３０】
ここで、分針検出用の対面検出手段を構成する発光素子３２、反射面３８及び受光素子３４は、中心軸線Ｃに垂直で実際上同一の一の平面上に位置し、時針検出用の対面検出手段を構成する時針検出用の発光素子６０、反射面６６及び受光素子６２も、中心軸線Ｃに垂直で実際上同一の別の一平面上に位置するので、電子時計１の厚さの増加を最小限に抑え得る。なお、ここでは、夫々の発光素子及び受光素子の間のＺ方向の長さは無視している。なお、図２において、分針検出用の発光素子３２及び受光素子３４が中心軸線Ｃの延在方向に並んでいるかの如く示されているけれども、電子時計１の厚さを最小限にするためには、発光素子３２及び受光素子３４は、中心軸線Ｃの延在方向の代わりに周方向に並置される。時針検出用の発光素子６０及び受光素子６２についても同様で、電子時計１の厚さを最小限にするためには、発光素子６０及び受光素子６２は、中心軸線Ｃの延在方向の代わりに周方向に並置される。その場合、発光素子や受光素子は夫々の素子が取付けられている周面の向きと一致する向きではなくてもよく、例えば、発光素子及び受光素子が対応する軸部の表面から比較的大きく突出した状態で且つほぼ面一に並んでいても、又は両者の中間位置を通る半径方向の線が反射面と交差する位置に正対し得るように、相互に９０度以下の角度で隣接していてもよい。
【００３１】
分針検出系１５及び時針検出系１６が、夫々、分針２０及び時針５０の位置を検出し得るようにするために、この例では、例えば、分針検出用反射面３８及び時針検出用反射面６６が、各位置ｉ、ｊ（ｉ時ｊ分）の反射面Ｓｈｉ、Ｓｍｊごとに、ユニークな位置情報を与えるように構成される。そのためには、反射面Ｓｈｉの夫々及び反射面Ｓｍｊの夫々が、異なる反射率を有していても、例えば、バーコードの如き異なるパターン情報を有していてもよく、また異なる色など他の種類の異なる反射光情報を与えるようになっていてもよい。パターン情報を検出するためには、受光手段としての光検出部３３、６２は、例えば、ＣＣＤのようなパターン情報検出部からなり、該検出部３３、６２により検出されたパターン情報を導通ばね３６及び６４を介してパターンデータ処理部に送ってデータを解読するようにしてもよい。
【００３２】
また、ケース２のリング部に、反射面３８及び６６を設ける代わりに、図４に示したように、各反射面３６及び６６の位置に、送信手段としての分針検出用発光部３１からの分針位置表示光を検出する６０個の受信手段としての分針検出用光検出部３３ａ（即ち、Ｄｍ１、Ｄｍ２、・・・、Ｄｍｊ、・・・、Ｄｍ６０）及び送信手段としての時針検出用発光部６０からの時針位置表示光を検出する１２個の受信手段としての時針検出用光検出部６２ａ（即ち、Ｄｈ１、Ｄｈ２、・・・、Ｄｈｉ、・・・、Ｄｈ１２）を設け、各検出部３３ａ、６２ａで検出した検出信号を、ＭＩＤ配線２６、５５と同様な配線を介して各針２０、５０の位置信号として、分針位置データ格納部８１及び時針位置データ格納部８２に格納するようにしてもよい。この場合にも、ケース２が樹脂などで形成されるときには、配線はＭＩＤ技術で形成されてもよい。この場合、光信号を検出した光検出部Ｄｍｊ、Ｄｈｉから検出信号が出されるので、検出信号が出された光検出部Ｄｍｊ、Ｄｈｉが特定されることにより、分針位置及び時針位置自体が自動的に特定され得る。
【００３３】
この電子時計１は、更に、図３の（ａ）に示したように、時刻情報を含んだ長波の形態の標準電波を受信する電波受信部８４及び該電波受信部で受信した標準電波の時刻情報を解読する時刻情報検出部８５を備える。また、針位置調整制御部８６は、時針及び分針位置データ格納部８２、８１に格納されている時針位置データＰｈ及び分針位置データＰｍと、時刻情報検出部８５で解読された標準電波の現在時刻情報ＷＴの時データＷＴｈ及び分データＷＴｍとを比較して、差Δｈ＝Ｐｈ−ＷＴｈ及びΔｍ＝Ｐｍ−ＷＴｍがゼロになるように、モータ８７を回転駆動する。モータ８７は、分針２０と時針５０とを即ち分車２１と時車５１とを独立に回転駆動するようになっていても、分車２１を回転駆動することにより、輪列を介して時車５１を回転駆動し、分針２０及び時針５０を全体として回転させるようになっていてもよい。前者の場合、時針５０の位置は、分データＰｍを考慮して、００分の場合よりも、Ｐｍ／２（度）だけ時針５０の位置をずらすことになる。
【００３４】
以上のような電子時計１を組立てる場合、時車５１や分車２１の所定の接点端子部ないしパッド部６１、６３や３３、３５に夫々の発光及び受光素子６０及び６２や３２及び３４を実装すると共に、該発光及び受光素子６０及び６２や３２及び３４の位置を目印に時針５０や分針２０を時車５１や分車２１に取付けることにより、時針５０や分針２０を、実際上正確に時車５１や分車２１に取付けることができるので、時針や分針が位置する文字板の表面側とは反対側（裏面側）においてフォトインタラプタ等を組付ける場合と比較して、その組立作業が正確且つ迅速に行われ得、組立工程が簡略化され得る。なお、ケース２の反射面３８、６６の位置が最初に規定される場合、例えば、該反射面３８、６６の位置ないし向き（軸線Ｃのまわりでの周方向の位置ないし向き）に合わせて中心軸線Ｃのまわりでの文字板４の向きを定め、該文字板４の向きに合せて、時車５１及び分車２１の向き（従って時針５０及び分針２０の向き）を合せるようにすればよい。
【００３５】
なお、分車２１の回転と時車５１の回転とが輪列で予め関連付けられているばあいには、例えば、分車２１の向きと時車５１の向きとが一致する回転位置において、ケース２の１２時の向きに合せればよい（ムーブメントの向きとケース２の向きとが関連付けられている場合、１２種類の重なり位置のうち、最も適合する位置を選ぶことになるけれども、そのような場合、凡その１２時の向きは、その非対称形状から予め判明しているはずであるので、該形状を基準に位置を選べばよい）。
【００３６】
以上においては、電子時計１が時針５０及び分針２０からなるとして説明したけれども、当然ながら、図５に示したように、更に秒針９０を有する電子時計１ｂからなっていてもよい。
【００３７】
図５の電子時計１ｂは、秒針９０に加えて、これに関連する秒車などの機械系９１、発光部９２及び受光部９３、ハーフミラー９４、ＭＩＤ配線９５、並びに導通ばね９６、９７などの秒針位置検出系１７を有する点で、図２に示した電子時計１と異なり、その他の点では、電子時計１と実質的に同様に構成される。なお、当然ながら、図３の（ｂ）に示したように、針位置データ格納部として時針位置データ格納部８２及び分針位置データ格納部８１に加えて秒針位置データ格納部８３を備えると共に、時刻情報検出部８５では、標準電波の現在時刻情報ＷＴとして、秒データが００秒になる時点での現在時刻情報ＷＴの時データＷＴｈ及び分データＷＴｍに応じて、時針、分針及び秒針位置データ格納部８２、８１、８３に格納されている時針位置データＰｈ、分針位置データＰｍ及び秒針位置データＰｓと、時刻情報検出部８５で解読された００秒時点での標準電波の現在時刻情報ＷＴの時データＷＴｈ、分データＷＴｍ及び秒データＷＴｓ＝０とを比較して、差Δｈ＝Ｐｈ−ＷＴｈ、Δｍ＝Ｐｍ−ＷＴｍ及びΔｓ＝Ｐｓ−０がゼロになるように、モータ８７を回転駆動する。針位置調整に１秒以上の時間を要する場合には、その時間Δｔ（秒）を予め考慮して、Δｔ秒後のその時刻に一致するように、秒針９０だけでなく分針２０や時針５０の位置を調整してもよい。
【００３８】
この電子時計１ｂが、秒針９０の位置を分針２０や時針５０の位置と同様に、検出・調整し得る点を除いて、電子時計１と同様に機能し得ることは、明かであろう。
【００３９】
なお、電子時計１、１ａ又は１ｂにおいて、針２０、５０等の位置にかかわらず該針２０、５０等の位置を検出し得るようにする代わりに、例えば、各針２０、５０等が特定の位置、例えば１２時の位置、即ち１２時００分００秒において各針２０、５０等が採るべき回転位置にあること検出するように、例えば、１２時の位置にのみ反射面３８、６６などを設け、他の回転位置では、発光部３１、６０等から出た光が検出部３３、６２等で検出されないようにしてもよい。その場合、時針位置データ格納部８２や分針位置データ格納部８１等はなくてもよく、時刻表示の修正をする場合には、電波修正のために標準電波の受信を開始する前、最中又はその直後に、各針２０、５０等を一旦初期位置に戻し、その後、時刻情報検出部８５で得られる時刻情報に応じた回転位置に、モータ８７により、各針２０、５０などを回転させるようにしてもよい。
【図面の簡単な説明】
【図１】本発明による好ましい一実施例の電子時計を示したもので、（ａ）は平面説明図、（ｂ）は斜視説明図（但し分針及びその位置検出系を中心に示した）。
【図２】図１の電子時計の一部の断面説明図。
【図３】電子時計の針位置調整機構をしめしたもので、（ａ）は図１の電子時計の針位置調整機構のブロック図、（ｂ）は図５の電子時計の針位置調整機構のブロック図。
【図４】図１の電子時計の変形例を示したもので、（ａ）は図１の（ａ）と同様な平面説明図、（ｂ）は図１の（ｂ）と同様な斜視説明図。
【図５】図３の（ｂ）に示した本発明の別の変形例についての図２と同様な断面説明図。
【符号の説明】
１、１ａ、１ｂ　電子時計
２　ケース
４　文字板
８　表面
２０　分針
２１　分車
２６　分針位置検出用ＭＩＤ配線
３２　分針位置検出用発光素子
３４　分針位置検出用受光素子
３６、３７　導通ばね
３８　分針位置検出用反射面
５０　時針
５１　時車（筒車）
５５　分針位置検出用ＭＩＤ配線
６０　分針位置検出用発光素子
６２　分針位置検出用受光素子
６４、６５　導通ばね
６６　分針位置検出用反射面
９０　秒針
９２　分針位置検出用発光素子
９３　分針位置検出用受光素子
９６、９７　導通ばね
Ｃ　中心軸線
【図１】
2004077177.tif 000003
【図２】
2004077177.tif 000004
【図３】
2004077177.tif 000005
【図４】
2004077177.tif 000006
【図５】
2004077177.tif 000007